(57)【要約】【課題】  構造材であるリップ溝形鋼等の軽量形鋼への取り付けが容易で、意匠性の高い天井ユニットを提供することを目的とする。【解決手段】  本願は、所定の間隔に配置された軽量形鋼間に取り付けられる天井ユニットである。天井ユニットは、係合部と、係合部の下に化粧部を有する。天井ユニットが軽量形鋼に取り付けられたときに、係合部が、軽量形鋼に係合されており、係合部が係合された軽量形鋼の下側が、その天井ユニットの化粧部に覆われて下から見えない状態になる。【選択図】  図１
2018003490.tif 000002
【特許請求の範囲】
【請求項１】
所定の間隔に配置された
軽量形鋼間に取り付けられる天井ユニットであって、
該天井ユニットは、
係合部と、
該係合部の下に化粧部を有し、
天井ユニットが軽量形鋼に取り付けられたときに、
係合部が、
前記軽量形鋼に係合されており、
前記係合部が係合された軽量形鋼の下側が、
前記天井ユニットの化粧部に覆われて下から見えない状態になる
天井ユニット。
【発明の詳細な説明】
【技術分野】
【０００１】
構造材であるリップ溝形鋼等の軽量形鋼への取り付けが容易で、意匠性の高い天井ユニットを提供することを目的とする。
【背景技術】
【０００２】
従来技術について、図２５から図２７までで説明する。
【０００３】
図２５は、特開２００８−１６３７２５号公報にて公開されている建築物の壁体構造、及びその施工方法に関する技術である。図２５に示した先行技術は、形鋼からなる構造材１，１'間に壁材２Ａ（天井材等）を架設して壁面を構築する壁体構造において、一方の構造材１の内フランジ１２の外側に支持させる第一取付部２２Ａと、構造材１，１'間に亘る化粧部２１と、他方の構造材１'の外フランジ１３の外側に支持させる第二取付部２３とからなる壁材２Ａを隣接する構造材１，１'間に配してなることが特徴である。
【０００４】
図２６は、特開２０１５−７１９２４号公報にて公開されている建材保持部材、及びこれを使用した屋根構造に関する技術である。図２６に示した先行技術は、下部フランジを覆いながら第１保持部材１２に着脱自在に係合する化粧ホルダー１３を用いて、屋根裏の見栄えを良くするものである。
【０００５】
図２７は、特開２００８−１６３６６３号公報にて公開されている屋根構造に関する技術である。図２７に示した先行技術は、第１保持部及び第２保持部が、溝型鋼の下部を覆いながら互いに着脱自在に係合している。
【先行技術文献】
【特許文献】
【０００６】
【特許文献１】特開２００８−１６３７２５号公報
【特許文献２】特開２０１５−７１９２４号公報
【特許文献３】特開２００８−１６３６６３号公報
【発明の概要】
【発明が解決しようとする課題】
【０００７】
図２５に示した先行技術では、この壁材の化粧部は、構造材の下フランジと同レベルとなるように形成することで壁全体がフラット状になるものでも、下フランジより上側或いは下側とすることで壁全体が凹凸状となるものでもよい。したがって、構造材の下フランジの下面側が、そのままの天井の内装として表れてしまうことになるので、意匠性に問題があった。
【０００８】
また、図２５に示した先行技術は、施工中に発生する風に弱かった。下側から吹き上げる風が発生すると、第一取付部及び第二取付部が構造材から外れてしまい、壁材が飛散してしまう恐れがある。
【０００９】
図２６に示した先行技術は、化粧ホルダーが追加部材として必要である。そのため、コストがかかり、取り付ける手間もかかっていた。また、化粧ホルダーを下部フランジを覆いながら第１保持部材に着脱自在に係合する必要がある。そのため、構造材の上方から取り付けることは困難であり、安全に取り付けるためには室内側に足場を組む必要があった。
【００１０】
図２７に示した先行技術は、溝形鋼の下部を一対の屋根下地材で覆う。取り付けに当たっては、第１分割体と、第２分割体を組み合わせた下地保持部材を取り付けた後、それにボード体を取り付ける。そのため、部材数が多いので、コストがかかり、取り付ける手間もかかっていた。また、隣り合う溝形鋼双方の下部を覆わなければならないので、溝形鋼の上方から取り付けることは危険であり、安全に取り付けるためには室内側に足場を組む必要があった。
【課題を解決するための手段】
【００１１】
本願は、所定の間隔に配置された軽量形鋼間に取り付けられる天井ユニットである。天井ユニットは、係合部と、係合部の下に化粧部を有する。天井ユニットが軽量形鋼に取り付けられたときに、係合部が、軽量形鋼に係合されており、係合部が係合された軽量形鋼の下側が、その天井ユニットの化粧部に覆われて下から見えない状態になる。
【発明の効果】
【００１２】
本願は、係合部が軽量形鋼に係合されて、天井ユニットが軽量形鋼に取り付けられるだけで、軽量形鋼の下側が、化粧部に覆われる。そのため、軽量形鋼が下から見えない状態になり、そのままの天井の内装として表れてしまうことがないので、意匠性が高い。
【００１３】
また、本願は、施工中に発生する風に強い。天井ユニットが軽量形鋼に取り付けられたときに、係合部が係合された軽量形鋼の下側が、その天井ユニットの化粧部に覆われた状態になる。そのため、下側から吹き上げる風が発生すると、天井ユニットが軽量形鋼の下側に当接するので、外れにくい構成になっている。そのため、天井ユニットが飛散してしまう恐れは極めて少ない。
【００１４】
本願は、化粧ホルダー、下地保持部材等が不要である。そのため、コストを低く抑えられ、化粧ホルダー、下地保持部材等を取り付ける手間もかからない。また、構造材である軽量形鋼上から容易に取り付けることができる。また、係合部の下に化粧部が形成されているので取付作業を行うだけで軽量形鋼の下側が化粧部に覆われて、下から見えない状態にできる。さらに、作業者の安全が確保でき、室内側に足場を組む必要もない。
【図面の簡単な説明】
【００１５】
【図１】本願の天井ユニットの実施例（実施例１）を示す説明図である。
【図２】本願の天井ユニットの実施例（実施例１）を示す説明図である。
【図３】本願の天井ユニットの実施例（実施例１）の取り付けに関する説明図である。
【図４】本願の天井ユニットの実施例（実施例１）の取り付けに関する説明図である。
【図５】本願の天井ユニットの実施例（実施例１）の取り付けに関する説明図である。
【図６】本願の天井ユニットの実施例（実施例１）の取り付けに関する説明図である。
【図７】本願の天井ユニットの実施例（実施例１）の取り付けに関する説明図である。
【図８】本願の天井ユニットの実施例（実施例２）を示す説明図である。
【図９】本願の天井ユニットの実施例（実施例２）を示す説明図である。
【図１０】本願の天井ユニットの実施例（実施例２）の取り付けに関する説明図である。
【図１１】本願の天井ユニットの実施例（実施例２）の取り付けに関する説明図である。
【図１２】本願の天井ユニットの実施例（実施例３）を示す説明図である。
【図１３】本願の天井ユニットの実施例（実施例３）の取り付けに関する説明図である。
【図１４】本願の天井ユニットの実施例（実施例３）の取り付けに関する説明図である。
【図１５】本願の天井ユニットの実施例（実施例４）を示す説明図である。
【図１６】本願の天井ユニットの実施例（実施例４）の取り付けに関する説明図である。
【図１７】本願の天井ユニットの実施例（実施例５）を示す説明図である。
【図１８】本願の天井ユニットの実施例（実施例５）を示す説明図である。
【図１９】本願の天井ユニットの実施例（実施例５）の取り付けに関する説明図である。
【図２０】本願の天井ユニットの実施例（実施例５）の取り付けに関する説明図である。
【図２１】本願の天井ユニットの実施例（実施例６）を示す説明図である。
【図２２】本願の天井ユニットの実施例（実施例６）を示す説明図である。
【図２３】本願の天井ユニットの実施例（実施例６）の取り付けに関する説明図である。
【図２４】本願の天井ユニットの実施例（実施例６）の取り付けに関する説明図である。
【図２５】従来技術の説明図である。
【図２６】従来技術の説明図である。
【図２７】従来技術の説明図である。
【実施例】
【００１６】
本願の天井ユニットについて、図１から図２４までにより説明する。
【００１７】
本願において、軽量形鋼とは、リップ溝形鋼（断面略Ｃ字状）、軽角形鋼（断面略ロ字状）、軽溝形鋼（断面略コ字状）等を指す。建物の構造材として用いられ、所定の間隔に配置され、固定されている。本願記載の実施例において軽量形鋼は、代表的なリップ溝形鋼にて説明する。リップ溝形鋼Ｃは、ウェブＣ１と、ウェブＣ１の上下端部が同方向に曲げられた上フランジＣ２及び下フランジＣ３と、上フランジＣ２及び下フランジＣ３が対向する向きに曲げられた上リップＣ４及び下リップＣ５を有している。
【００１８】
本願の天井ユニットＵは、係合部１を有する。係合部１は、リップ溝形鋼Ｃ等の軽量形鋼に係合される箇所である。本願において、係合部１がリップ溝形鋼Ｃ等の軽量形鋼のどこに係合されるかは問わない。たとえば、リップ溝形鋼Ｃの場合、上フランジＣ２上面でもよいし、下リップＣ５上端部でもよい。
【００１９】
係合部１がリップ溝形鋼Ｃの上フランジＣ２上面に係合される場合、係合部１は、上面１１及び立面１２を有し、断面略倒Ｌ字状や開口部を下に向けた断面略コ字状であることが望ましい。一般的に、リップ溝形鋼Ｃ上には他部材Ｅが取り付けられる。そのため、係合部１が、上面１１が平らであることによって、リップ溝形鋼Ｃの上面に他部材Ｅとともに固定される上に、リップ溝形鋼Ｃ上にて他部材Ｅを安定した、取り付けやすい状態にすることができる。
【００２０】
また、係合部１がリップ溝形鋼Ｃの下リップＣ５に係合される場合は、断面略へ字状（断面略山型状）であることが望ましい。そうすることによって、下リップＣ５上端部に引っ掛けることができ、ずれにくくなるためである。
【００２１】
本願の天井ユニットＵは、係合部１の下に化粧部２を有する。化粧部２は、天井ユニットＵがリップ溝形鋼Ｃ等の軽量形鋼に取り付けられた後に、室内側に表れる部分である。
【実施例１】
【００２２】
本実施例の天井ユニットＵについて、図１から図７までにより説明する。図１は、本実施例の天井ユニットＵの斜視図である。図２は、本実施例の天井ユニットＵの側面図である。図３は、本実施例の天井ユニットＵの取り付け方法を示す説明図である。図４は、本実施例の天井ユニットＵを取り付ける説明図であり、係合部１近傍の拡大図である。図５は、本実施例の天井ユニットＵを取り付ける説明図であり、第二係合部３近傍の拡大図である。図６は、ウェブＣ１・Ｃ１同士を近接させ、開口をそれぞれ外側に向けるように組み合わせられている２本のリップ溝形鋼Ｃ・Ｃに本実施例の天井ユニットＵを取り付ける説明図であり、係合部１近傍の拡大図である。図７は、ウェブＣ１・Ｃ１同士を近接させ、開口をそれぞれ外側に向けるように組み合わせられている２本のリップ溝形鋼Ｃ・Ｃに本実施例の天井ユニットＵを取り付ける説明図であり、第二係合部３近傍の拡大図である。なお、本実施例の天井ユニットＵは、リップ溝形鋼Ｃに用いられるものである。
【００２３】
本実施例の天井ユニットＵは、係合部１と、化粧部２の一部として室内側に表れる部分を有する係合部材Ｕ１と、化粧部２を有する化粧板Ｕ２が別々の部材で構成されている。係合部材Ｕ１には、化粧板固定部Ｕ１１が形成されており、そこに化粧板Ｕ２の端部が固定されている。また、係合部材Ｕ１の下面は、本実施例の天井ユニットＵが天井ユニットＵがリップ溝形鋼Ｃに取り付けられた後に、室内側に表れる部分となる。すなわち、係合部材Ｕ１の下面は、化粧部２の一部である。このように、別々の部材である係合部材Ｕ１と化粧板Ｕ２が着脱可能に組み合わされている場合、リップ溝形鋼Ｃ・Ｃ同士の間隔にあわせて化粧板Ｕ２を切断して寸法調整することができる。また、化粧板Ｕ２が断熱性能を有する場合、リップ溝形鋼Ｃの下フランジＣ３が化粧板Ｕ２で覆われた状態になる。その結果、リップ溝形鋼Ｃが熱橋になりにくく、断熱性能が高まる。
【００２４】
本実施例では、断面略コ字状である化粧板固定部Ｕ１１に、化粧板Ｕ２の端部が挿し込まれて固定されている。この場合、本実施例の天井ユニットＵがリップ溝形鋼Ｃに取り付けられたときに、化粧部２の一部である係合部材Ｕ１の下面における外側端部（化粧部２の一端縁）が、ウェブＣ１の略真下の位置になる。
【００２５】
本実施例では、係合部１が、リップ溝形鋼Ｃ等の軽量形鋼の上部に係合される。この場合、係合部１は、上面１１と立面１２を有することが望ましい。一般的に、リップ溝形鋼Ｃ上には他部材Ｅが取り付けられる。そのため、係合部１が平らな上面１１を有することによって、リップ溝形鋼Ｃ上に他部材Ｅを安定した状態に取り付けることができる。本実施例では、立面１２はウェブＣ１と略同じ高さであることが望ましい。そうすることで、天井ユニットＵが取り付けられたときに、上面１１が上フランジＣ２上面に、また、化粧部２の上面が下フランジＣ３下面に当接又は近接した状態になるので、安定した状態になる。
【００２６】
本実施例の天井ユニットＵは、取り付けに当たって、まず係合部１の端部が上フランジＣ２上面に当接される。そして、本実施例の係合部１の立面１２を下リップＣ５に近づけていくと、化粧部２の一端縁近傍によって、下フランジＣ３が覆われた状態になる。
【００２７】
一方、本実施例の天井ユニットＵにおいて、係合部１側に対向する側の端部には、第二係合部材Ｕ３が一体化されている。この第二係合部材Ｕ３は、下側が開口する断面略倒コ字状であって、リップ溝形鋼Ｃの上側を覆うように被せ、組み合わせられる。このようにすることによって、本実施例の天井ユニットＵが、リップ溝形鋼Ｃ上に取り付けられた後にずれにくく、リップ溝形鋼Ｃ上に他部材Ｅを安定した状態に取り付けることができる。
【００２８】
ただし、本願の天井ユニットＵは、係合部１側に対向する側の端部の構成は問わない。本実施例では、第二係合部材Ｕ３が一体化されているが一例に過ぎない。たとえば、第二係合部材Ｕ３等が組み合わされていない、化粧板Ｕ２端部そのものであってもよい。そのほか、リップ溝形鋼Ｃに固定するための固定部材を、本願の天井ユニットＵに一体化させずに用いてもよい。また、隣り合う本願の天井ユニットＵの係合部１側の化粧部２端部に下係合部を形成しておき、そこに係合部１側に対向する側の端部に形成された上係合部を係合させる構成にしてもよい。そのほか、本願の天井ユニットＵの係合部１側に対向する側の端部に、リップ溝形鋼Ｃにビス等の止着具で固定させる固定部材を一体化させてもよい。
【００２９】
２本のリップ溝形鋼Ｃ・Ｃが、図６のようにウェブＣ１・Ｃ１同士を近接させ、開口をそれぞれ外側に向けるように組み合わせられている場合がある。この場合は、上記のようなリップ溝形鋼Ｃが１本である実施例に比べ、化粧部２の端縁がリップ溝形鋼Ｃ側に突出された部分が広い天井ユニットＵを使用する。取り付けに当たっては、上記のようなリップ溝形鋼Ｃが１本である実施例同様に、まず係合部１の端部が上フランジＣ２上面に当接される。そして、本実施例の係合部１の立面１２を下リップＣ５に近づけていくと、化粧部２のうちリップ溝形鋼Ｃ側に突出された部分によって、２本のリップ溝形鋼Ｃ・Ｃの下フランジＣ３・Ｃ３が覆われた状態になる。このとき、化粧部２の一端縁が、本実施例の天井ユニットＵから見て、外側のリップ溝形鋼Ｃの下リップＣ５の略真下の位置、すなわち、内側のリップ溝形鋼ＣのウェブＣ１よりも外側の位置になる。
【００３０】
次に、本実施例の天井ユニットＵが、２本のリップ溝形鋼Ｃ・Ｃに組み合わされる場合について、説明する。本実施例では、係合部１側に対向する側の端部に、上記のようなリップ溝形鋼Ｃが１本である実施例よりも幅が広い第二係合部材Ｕ３が一体化されている。この第二係合部材Ｕ３も、下側が開口する断面略倒コ字状であって、２本のリップ溝形鋼Ｃ・Ｃの上側を覆うように被せ、組み合わせられる。このようにすることによって、本実施例の天井ユニットＵが、リップ溝形鋼Ｃ上に取り付けられた後にずれにくく、リップ溝形鋼Ｃ上に他部材Ｅを安定した状態に取り付けることができる。
【実施例２】
【００３１】
本実施例の天井ユニットＵについて、図８から図１１までにより説明する。図８は、本実施例の天井ユニットＵの斜視図である。図９は、本実施例の天井ユニットＵの側面図である。図１０は、本実施例の天井ユニットＵを取り付ける説明図であり、係合部１近傍の拡大図である。図１１は、ウェブＣ１・Ｃ１同士を近接させ、開口をそれぞれ外側に向けるように組み合わせられている２本のリップ溝形鋼Ｃ・Ｃに本実施例の天井ユニットＵを取り付ける説明図であり、係合部１近傍の拡大図である。なお、本実施例の天井ユニットＵは、リップ溝形鋼Ｃに用いられるものである。
【００３２】
本実施例の天井ユニットＵは、係合部１だけが実施例１と異なる。実施例１はリップ溝形鋼Ｃの上部に係合されるが、本実施例は下リップＣ５に係合される。係合部１は断面略へ字状（断面略山型状）である。さらに、その先端が上側に折り曲げられており、リップ溝形鋼Ｃの開口に係合部１の先端が入りやすい形状になっている。
【００３３】
本実施例の天井ユニットＵも、実施例１と同様に、係合部１と、化粧部２の一部として室内側に表れる部分を有する係合部材Ｕ１と、化粧部２を有する化粧板Ｕ２が別々の部材で構成されている。係合部材Ｕ１には、化粧板固定部Ｕ１１が形成されており、そこに化粧板Ｕ２の端部が固定されている。また、係合部材Ｕ１の下面は、本実施例の天井ユニットＵがリップ溝形鋼Ｃに取り付けられた後に、室内側に表れる部分となる。すなわち、係合部材Ｕ１の下面は、化粧部２の一部である。このように、別々の部材である係合部材Ｕ１と化粧板Ｕ２が着脱可能に組み合わされている場合、リップ溝形鋼Ｃ・Ｃ同士の間隔にあわせて化粧板Ｕ２を切断して寸法調整することができる。また、化粧板Ｕ２が断熱性能を有する場合、リップ溝形鋼Ｃの下フランジＣ３が化粧板Ｕ２で覆われた状態になる。その結果、リップ溝形鋼Ｃが熱橋になりにくく、断熱性能が高まる。
【００３４】
本実施例では、断面略コ字状である化粧板固定部Ｕ１１に、化粧板Ｕ２の端部が挿し込まれて固定されている。この場合、本実施例の天井ユニットＵがリップ溝形鋼Ｃに取り付けられたときに、化粧部２の一部である係合部材Ｕ１の下面における外側端部（化粧部２の一端縁）が、ウェブＣ１の略真下の位置になる。
【００３５】
本実施例では、係合部１が、下リップＣ５に係合される。この場合、係合部１は、断面略へ字状（断面略山型状）であることが望ましい。そうするによって、下リップＣ５上端部に引っ掛かり、ずれにくい状態に取り付けることができる。
【００３６】
本実施例の天井ユニットＵは、取り付けに当たって、まず係合部１がリップ溝形鋼Ｃの開口に挿入され、下リップＣ５の上端部に載せられる。そして、本実施例の天井ユニットＵの化粧部２の一端縁をリップ溝形鋼Ｃの下に挿入し、取り付け位置に近づけていくと、化粧部２によって、下フランジＣ３が覆われた状態になる。
【００３７】
一方、本実施例の天井ユニットＵにおいて、係合部１側に対向する側の端部には、第二係合部材Ｕ３が一体化されている。この第二係合部材Ｕ３は、下側が開口する断面略倒コ字状であって、リップ溝形鋼Ｃの上側を覆うように被せ、組み合わせられる。このようにすることによって、本実施例の天井ユニットＵが、リップ溝形鋼Ｃ上に取り付けられた後にずれにくく、リップ溝形鋼Ｃ上に他部材Ｅを安定した状態に取り付けることができる。
【００３８】
ただし、本願の天井ユニットＵは、係合部１側に対向する側の端部の構成は問わない。本実施例では、第二係合部材Ｕ３が一体化されているが一例に過ぎない。たとえば、第二係合部材Ｕ３等が組み合わされていない、化粧板Ｕ２端部そのものであってもよい。そのほか、リップ溝形鋼Ｃに固定するための固定部材を、本願の天井ユニットＵに一体化させずに用いてもよい。また、隣り合う本願の天井ユニットＵの係合部１側の化粧部２端部に下係合部を形成しておき、そこに係合部１側に対向する側の端部に形成された上係合部を係合させる構成にしてもよい。そのほか、本実施例の天井ユニットＵの係合部１側に対向する側の端部に、リップ溝形鋼Ｃにビス等の止着具で固定させる固定部材を一体化させてもよい。
【００３９】
２本のリップ溝形鋼Ｃ・Ｃが、図１１のようにウェブＣ１・Ｃ１同士を近接させ、開口をそれぞれ外側に向けるように組み合わせられている場合がある。この場合は、上記のようなリップ溝形鋼Ｃが１本である実施例に比べ、化粧部２の端縁がリップ溝形鋼Ｃ側に突出された部分が広い天井ユニットＵを使用する。取り付けに当たっては、上記のようなリップ溝形鋼Ｃが１本である実施例同様に、まず係合部１がリップ溝形鋼Ｃの開口に挿入され、下リップＣ５の上端部に載せられる。そして、天井ユニットＵの化粧部２の一端縁をリップ溝形鋼Ｃの下に挿入し、取り付け位置に近づけていくと、リップ溝形鋼Ｃ側に突出された化粧部２の一端縁近傍によって、２本の下フランジＣ３が覆われた状態になる。このとき、化粧部２の一端縁が、本実施例の天井ユニットＵから見て、外側のリップ溝形鋼Ｃの下リップＣ５の略真下の位置、すなわち、内側のリップ溝形鋼ＣのウェブＣ１よりも外側の位置になる。
【実施例３】
【００４０】
本実施例の天井ユニットＵについて、図１２から図１４までにより説明する。図１２は、本実施例の天井ユニットＵの側面図である。図１３は、本実施例の天井ユニットＵを取り付ける説明図であり、リップ溝形鋼Ｃ周辺の拡大図である。図１４は、本実施例の天井ユニットＵの上に他部材Ｅを取り付けた説明図である。なお、本実施例の天井ユニットＵは、リップ溝形鋼Ｃに用いられるものである。
【００４１】
本実施例の天井ユニットＵは、係合部１がリップ溝形鋼Ｃの上部に係合される。そのとき、化粧部２の一端縁が、ウェブＣ１よりも外側の位置になることが特徴である。また、本実施例の天井ユニットＵは、係合部１側に対向する側の化粧板Ｕ２端部に押え部材Ｕ４が一体化されている。
【００４２】
本実施例の天井ユニットＵは、実施例１及び実施例２と同様に、係合部１と、化粧部２の一部として室内側に表れる部分を有する係合部材Ｕ１と、化粧部２を有する化粧板Ｕ２が別々の部材で構成されている。係合部材Ｕ１には、化粧板固定部Ｕ１１が形成されており、そこに化粧板Ｕ２の端部が固定されている。また、係合部材Ｕ１の下面は、本実施例の天井ユニットＵがリップ溝形鋼Ｃに取り付けられた後に、室内側に表れる部分となる。すなわち、係合部材Ｕ１の下面は、化粧部２の一部である。このように、別々の部材である係合部材Ｕ１と化粧板Ｕ２が着脱可能に組み合わされている場合、リップ溝形鋼Ｃ・Ｃ同士の間隔にあわせて化粧板Ｕ２を切断して寸法調整することができる。また、化粧板Ｕ２が断熱性能を有する場合、リップ溝形鋼Ｃの下フランジＣ３が化粧板Ｕ２で覆われた状態になる。その結果、リップ溝形鋼Ｃが熱橋になりにくく、断熱性能が高まる。
【００４３】
本実施例の天井ユニットＵは、断面略コ字状である化粧板固定部Ｕ１１に、化粧板Ｕ２の端部が挿し込まれて固定されている。この場合、本実施例の天井ユニットＵがリップ溝形鋼Ｃに取り付けられたときに、化粧部２の一部である係合部材Ｕ１の下面における外側端部（化粧部２の一端縁）が、ウェブＣ１よりも外側の位置になる。
【００４４】
このように、本実施例では、化粧部２の一端縁が、実施例１及び実施例２に比べてウェブＣ１よりも外側に突出される寸法で設けられている。したがって、隣り合うリップ溝形鋼Ｃ・Ｃ同士の間隔が少し誤差があったとしても、係合部１側に対向する側の化粧板Ｕ２端部とリップ溝形鋼ＣのウェブＣ１との間隙を、この突出された係合部材Ｕ１の下面における外側端部近傍で覆うことができる。その結果、室内側の意匠性をさらに向上させることができる。
【００４５】
本実施例では、係合部１が、リップ溝形鋼Ｃ等の軽量形鋼の上部に係合される。この場合、係合部１は、上面１１と立面１２を有することが望ましい。一般的に、リップ溝形鋼Ｃ上には他部材Ｅが取り付けられる。そのため、係合部１が平らな上面１１を有することによって、リップ溝形鋼Ｃ上に他部材Ｅを安定した状態に取り付けることができる。
【００４６】
本実施例の天井ユニットＵは、取り付けに当たって、まず係合部１の端部が上フランジＣ２上面に当接される。そして、本実施例の係合部１の立面１２を下リップＣ５に近づけていくと、化粧部２によって、リップ溝形鋼Ｃの下フランジＣ３が覆われた状態になる。
【００４７】
一方、本実施例の天井ユニットＵにおいて、係合部１側に対向する側の端部には、押え部材Ｕ４が一体化されている。本実施例においては、押え部材Ｕ４は平らな上面Ｕ４１と、化粧板固定部Ｕ４２を有する。化粧板固定部Ｕ４２には、係合部１側に対向する側の化粧板Ｕ２端部が固定されている。本実施例の天井ユニットＵを取り付けると、リップ溝形鋼Ｃの上フランジＣ２上面と押え部材Ｕ４の上面Ｕ４１とが略同一面となり、その上に他部材Ｅが固定される。この状態になることによって、本実施例の天井ユニットＵが、他部材Ｅによって上から押さえられ、浮き上がらないように固定された状態になる。
【００４８】
本実施例の天井ユニットＵにおいて、押え部材Ｕ４の上面Ｕ４１は、内側に折り曲げられて形成されている。これは、一例であって、押え部材Ｕ４は、実施例１や実施例２のように、外側に折り曲げられて、リップ溝形鋼Ｃの上部に重ねられるように組み合わせられる構成であってもよい。
【００４９】
ただし、本実施例の天井ユニットＵにおいて、押え部材Ｕ４が、上に他部材Ｅが固定されて固定される構造は一例である。このほか、押え部材Ｕ４をリップ溝形鋼Ｃに止着具等で固定する構造でもよい。
【実施例４】
【００５０】
本実施例の天井ユニットＵについて、図１５から図１６までにより説明する。図１５は、本実施例の天井ユニットＵの側面図である。図１６は、本実施例の天井ユニットＵを取り付ける説明図である。なお、本実施例の天井ユニットＵは、リップ溝形鋼Ｃに用いられるものである。
【００５１】
本実施例の天井ユニットＵは、実施例１とほぼ同じ構成である。本実施例が、実施例１と異なるのは、係合部材Ｕ１及び第二係合部材Ｕ３が弾性を有し、それらの立面同士がそれぞれ外側に傾いている点である。また、係合部１がリップ溝形鋼Ｃに係合されて、天井ユニットＵがリップ溝形鋼Ｃに取り付けられたときに、実施例３のように化粧部２の一端縁がウェブＣ１よりも外側の位置になる点である。
【００５２】
本実施例は、取り付けも実施例１と同様である。ただし、係合部材Ｕ１及び第二係合部材Ｕ３が弾性を有し、それらの立面同士がそれぞれ外側に傾いているという特徴がある。まず、その弾性によって、係合部材Ｕ１にリップ溝形鋼Ｃが挟み込まれる。また、隣り合うリップ溝形鋼Ｃ・Ｃ同士の間隔に少し誤差があったとしても、その弾性によってその誤差を吸収し、本実施例の天井ユニットＵを取り付けることができる。さらに、化粧部２の一端縁が、ウェブＣ１よりも外側に突出される寸法で設けられているので、化粧部２の第二係合部３側端部とリップ溝形鋼Ｃとの間隙を、この突出された係合部材Ｕ１の下面における外側端部近傍で覆うことができる。その結果、室内側の意匠性を向上させることができる。
【００５３】
本実施例の天井ユニットＵは、上記のとおり、係合部材Ｕ１及び第二係合部材Ｕ３の弾性によって、隣り合うリップ溝形鋼Ｃ・Ｃ同士の間隔に誤差があったとしても、取り付けることができる。そのため、所定寸法の化粧板Ｕ２をそのまま用いることができる。そうすることで、所定の寸法（Ｘ）である化粧板Ｕ２を用いることができるので、コストを削減することができる。そのうえ、現場で化粧板Ｕ２を切断して寸法調整する必要がないので、施工性も向上する。
【実施例５】
【００５４】
本実施例の天井ユニットＵについて、図１７から図２０までにより説明する。図１７は、本実施例の天井ユニットＵの斜視図である。図１８は、本実施例の天井ユニットＵの側面図である。図１９は、本実施例の天井ユニットＵを取り付ける説明図であり、リップ溝形鋼Ｃ周辺の拡大図である。図２０は、本実施例の天井ユニットＵの上に機能性ボードＢを取り付ける説明図である。なお、本実施例の天井ユニットＵは、リップ溝形鋼Ｃに用いられるものである。
【００５５】
本実施例の天井ユニットＵは、実施例１から実施例４までと異なり、１枚の板材を折り曲げ加工することによって、係合部１と、化粧部２が形成されている。係合部１がリップ溝形鋼Ｃの上部に係合されて、天井ユニットＵがリップ溝形鋼Ｃに取り付けられたときに、リップ溝形鋼Ｃの下フランジＣ３下面側が、化粧部２によって覆われる構造である。このとき、化粧部２の一端縁が、ウェブＣ１の略真下の位置又はウェブＣ１よりも外側の位置になる寸法である。
【００５６】
本実施例の天井ユニットＵは、化粧部２に複数の孔２１を有する。本実施例では、化粧部２の上面に機能性ボードＢのひとつである吸音板が組み合わせられる。そのため、室内の音を複数の孔２１を通じ、吸音板によって吸音させることができる。また、化粧部２の上に、吸音板以外の機能性ボードＢを組み合わせてもよい。たとえば、断熱材・複合板等があげられる。また、化粧部２の上面に組み合わせられる機能性ボードＢは、複数枚重ねてもよい。このように、本実施例の天井ユニットＵは、上に機能性ボードＢが重ねられるだけなので、リップ溝形鋼Ｃの高さまでであれば、機能性ボードＢの厚み・組合せは自由である。
【００５７】
本実施例の天井ユニットＵは、取り付けに当たって、まず係合部１の端部が上フランジＣ２上面に当接される。そして、本実施例の係合部１の立面１２を下リップＣ５に近づけていくと、化粧部２によって、下フランジＣ３が覆われた状態になる。
【００５８】
一方、本実施例の天井ユニットＵにおいて、係合部１側に対向する側の端部には、第二係合部３が形成されている。この第二係合部３は、下側が開口する断面略倒コ字状であって、リップ溝形鋼Ｃの上側を覆うように被せ、組み合わせられる。このようにすることによって、本実施例の天井ユニットＵが、リップ溝形鋼Ｃ上に取り付けられた後にずれにくく、リップ溝形鋼Ｃ上に他部材Ｅを安定した状態に取り付けることができる。
【００５９】
ただし、本実施例の天井ユニットＵは、係合部１側に対向する側の端部の形状は問わない。本実施例では、第二係合部３が形成されているが一例に過ぎない。たとえば、リップ溝形鋼Ｃに固定するための固定部材を、本願の天井ユニットＵに一体化させずに用いてもよい。また、隣り合う本願の天井ユニットＵの係合部１側の化粧部２端部に下係合部を形成しておき、そこに係合部１側に対向する側の化粧部２端部に上係合部を形成した本願の天井ユニットＵを係合させる構成にしてもよい。そのほか、本実施例の天井ユニットＵの係合部１側に対向する側の端部に、リップ溝形鋼Ｃにビス等の止着具で固定させる固定部を形成させてもよい。
【実施例６】
【００６０】
本実施例の天井ユニットＵについて、図２１から図２４までにより説明する。図２１は、本実施例の天井ユニットＵの斜視図である。図２２は、本実施例の天井ユニットＵの側面図である。図２３は、本実施例の天井ユニットＵを取り付ける説明図であり、リップ溝形鋼Ｃ周辺の拡大図である。図２４は、本実施例の天井ユニットＵの上に機能性ボードＢを取り付ける説明図である。なお、本実施例の天井ユニットＵは、リップ溝形鋼Ｃに用いられるものである。
【００６１】
本実施例の天井ユニットＵは、実施例５と同様、１枚の板材を折り曲げ加工することによって、係合部１と、化粧部２が形成されている。係合部１がリップ溝形鋼Ｃの下リップＣ５上端部に係合されて、天井ユニットＵがリップ溝形鋼Ｃに取り付けられたときに、リップ溝形鋼Ｃの下フランジＣ３下面側が、化粧部２によって覆われる構造である。このとき、化粧部２の一端縁が、ウェブＣ１よりも外側の位置になる寸法である。
【００６２】
本実施例の天井ユニットＵは、化粧部２に複数の孔２１を有する。本実施例では、化粧部２の上面に機能性ボードＢのひとつである吸音板が組み合わせられる。そのため、室内の音を複数の孔２１を通じ、吸音板によって吸音させることができる。また、化粧部２の上に、吸音板以外の機能性ボードＢを組み合わせてもよい。たとえば、断熱材・複合板等があげられる。また、化粧部２の上面に組み合わせられる機能性ボードＢは、複数枚重ねてもよい。このように、本実施例の天井ユニットＵは、上に機能性ボードＢが重ねられるだけなので、リップ溝形鋼Ｃの高さまでであれば、機能性ボードＢの厚み・組合せは自由である。
【００６３】
本実施例の天井ユニットＵは、取り付けに当たって、まず係合部１がリップ溝形鋼Ｃの開口に挿入され、下リップＣ５の上端部に載せられる。そして、天井ユニットＵの化粧部２の一端縁をリップ溝形鋼Ｃの下に挿入し、取り付け位置に近づけていくと、リップ溝形鋼Ｃ側に突出された化粧部２の一端縁近傍によって、下フランジＣ３が覆われた状態になる。
【００６４】
一方、本実施例の天井ユニットＵにおいて、係合部１側に対向する側の端部には、第二係合部３が形成されている。この第二係合部３は、下側が開口する断面略倒コ字状であって、リップ溝形鋼Ｃの上側を覆うように被せ、組み合わせられる。このようにすることによって、本実施例の天井ユニットＵが、リップ溝形鋼Ｃ上に取り付けられた後にずれにくく、リップ溝形鋼Ｃ上に他部材Ｅを安定した状態に取り付けることができる。
【００６５】
ただし、本実施例の天井ユニットＵは、係合部１側に対向する側の端部の形状は問わない。本実施例では、第二係合部３が形成されているが一例に過ぎない。たとえば、リップ溝形鋼Ｃに固定するための固定部材を、本願の天井ユニットＵに一体化させずに用いてもよい。また、隣り合う本願の天井ユニットＵの係合部１側の化粧部２端部に下係合部を形成しておき、そこに係合部１側に対向する側の端部に形成された上係合部を係合させる構成にしてもよい。そのほか、本実施例の天井ユニットＵの係合部１側に対向する側の端部に、リップ溝形鋼Ｃにビス等の止着具で固定させる固定部を形成させてもよい。
【符号の説明】
【００６６】
Ｕ        天井ユニット
１        係合部
１１      上面
１２      立面
２        化粧部
２１      孔
３        第二係合部
Ｕ１      係合部材
Ｕ１１    化粧板固定部
Ｕ２      化粧板
Ｕ３      第二係合部材
Ｕ４      押え部材
Ｕ４１    上面
Ｕ４２    化粧板固定部
Ｂ        機能性ボード
Ｃ        リップ溝形鋼（軽量形鋼）
Ｃ１      ウェブ
Ｃ２      上フランジ
Ｃ３      下フランジ
Ｃ４      上リップ
Ｃ５      下リップ
Ｅ        他部材
【図１】
2018003490.tif 000003
【図２】
2018003490.tif 000004
【図３】
2018003490.tif 000005
【図４】
2018003490.tif 000006
【図５】
2018003490.tif 000007
【図６】
2018003490.tif 000008
【図７】
2018003490.tif 000009
【図８】
2018003490.tif 000010
【図９】
2018003490.tif 000011
【図１０】
2018003490.tif 000012
【図１１】
2018003490.tif 000013
【図１２】
2018003490.tif 000014
【図１３】
2018003490.tif 000015
【図１４】
2018003490.tif 000016
【図１５】
2018003490.tif 000017
【図１６】
2018003490.tif 000018
【図１７】
2018003490.tif 000019
【図１８】
2018003490.tif 000020
【図１９】
2018003490.tif 000021
【図２０】
2018003490.tif 000022
【図２１】
2018003490.tif 000023
【図２２】
2018003490.tif 000024
【図２３】
2018003490.tif 000025
【図２４】
2018003490.tif 000026
【図２５】
2018003490.tif 000027
【図２６】
2018003490.tif 000028
【図２７】
2018003490.tif 000029